(57)【特許請求の範囲】
【請求項１】
マイクロリターダフィルムを形成するための一方法であって、
マイクロ構造位相フィルム層のための応力アシスト圧延プロセスを利用して複数の開口部および複数の位相リターダパターンを備えたマイクロ構造位相フィルムパターンを形成するステップと、
前記マイクロ構造位相フィルムパターン上に第１の均質の層を形成してかつ前記複数の開口部内に充填されるステップと、
前記マイクロ構造位相フィルムパターンの裏面に対して変成処理を実行するステップと、を含むことを特徴とする方法。
【請求項２】
前記複数の開口部の下の前記マイクロ構造位相フィルム層が完全に均質の特性を有し、かつそれによって第２の均質の層を形成するまで、前記変成処理が実行されることを特徴とする請求項１に記載の方法。
【請求項３】
前記第１の均質の層の前記厚さが、１０〜５０μｍであり、前記マイクロ構造位相フィルム層の厚さが、２５〜２００μｍであり、前記複数の位相リターダパターンの間隔が、１５０〜３５０μｍであり、前記複数の位相リターダパターンの幅が、７５〜１５５μｍであることを特徴とする請求項２に記載の方法。
【請求項４】
前記変成処理が、熱処理を含み、前記熱処理が、焼鈍し、電子ビーム焼入れ、高周波焼入れ、高圧放電、プラズマ表面処理またはレーザ照射を含むことを特徴とする請求項２に記載の方法。
【請求項５】
前記第１の均質の層の材料が、紫外線（ＵＶ）硬化性ポリマーまたは２液タイプ硬化性ポリマーを含み、前記マイクロ構造位相フィルム層の材料が、ポリ酢酸ビニール、トリアセテートセルロース、ポリ炭酸塩またはセルロースアセテートプロピオネートを含むことを特徴とする請求項２に記載の方法。
【発明の詳細な説明】
【技術分野】
【０００１】
本発明は、一般にパララックスバリアに、および、より詳しくはマイクロリターダフィルムでできているパララックスバリアに関する。
【背景技術】
【０００２】
フラットパネルディスプレイは、より高い解像度、より広い色域およびより大きい応答速度を備えたディスプレイの用途に広く使われている。人間が、最も自然な、最も現実的なおよび立体画像が最終的に示されることを求めるので、それで、立体／三次元（３Ｄ）画像表示技術は少なからぬ重点であった。
【０００３】
三次元立体表示技術の創意は、それぞれ、左右の眼が異なる画像を受け入れることである。一般的に言って、空間内の対象物の相対位置は複数の奥行き手がかりの組合せで正確に測定される。奥行き手がかりは、両眼視差、人間の眼の順応、運動視差、遠近法、観測する対象物間の寸法関係、対象物の材料を含む。すなわち、立体ディスプレイは両眼差異および運動視差の少なくとも２つの特性を有しなければならず、情報の深度は、両眼差異でより正確に測定される。水平方向の２つの眼の間の変位（間隔約６５ｍｍ）に起因し、２つの眼によって見られる画像がわずかな差異を有するように両眼差異が作り出され、したがって、受け取られた画像の内容もまたわずかに異なる。運動視差は、視聴者の眼の位置が動くにつれて、視角が変化するので、眼が受け取った内容もまた異なることを示す。それゆえに、三次元画像を受け取るために、それぞれ左眼および右眼によって受け取られる個々の画像は、わずかな差異だけが可能にされなければならず、そして次に、深さ情報を備えた三次元画像を作り出すために脳内で融合されなければならない。現在、３Ｄ表示立体画像に対する再構築は、大部分は両眼差異に基づいて設計されており、異なる視角を備えた画像が、特別な光学設計を用いて左右の眼に投影され、そして次に、脳を通して２つの画像を統合し、それが立体画像を再構築されることができる。
【０００４】
初期のものにおいて、三次元画像ディスプレイは、大部分はグラス（眼鏡）着用タイプ立体ディスプレイである。シャッタグラス３Ｄディスプレイ速度は、更新周波数１２０Ｈｚ以上で左右の眼の視角の画像を再生する。ディスプレイが左眼のフレームを示している時、左眼シャッタグラスが開いて、右眼が覆われる。ディスプレイが右眼のフレームを示している時、右眼シャッタグラスが開いて、左眼が覆われる。左右の眼の情報を急速に切り替えることによって、左眼および右眼は、それぞれ、正しいフレーム（画像）を見ることができる。脳による視覚統合による視覚の残像の後、それは立体深度画像を示していることができる。
【０００５】
しかしながら、上述のグラス着用タイプ立体ディスプレイはしばしば人間の自然視覚を妨げる特別な機器を着用する必要がある。それゆえに、近年では、裸眼立体画像ディスプレイが徐々に開発されている。裸眼３Ｄディスプレイは、時分割多重方式および空間多重方式の２つのタイプによって実現されることができる。時分割多重方式は、視聴者の左右の眼がそれぞれ左右眼画像を見ることができるように、左右眼画像をすばやく表示する方向指示バックライトおよび高速応答パネルによって利用される。空間多重方式は、パララックスバリアおよびレンチキュラレンズによって実現される、フレーム解像度の代価で左右眼画像を同時に示すことである。パララックスバリアは、光の順方向を制御するために格子を利用し、一方レンチキュラレンズは光の方向を制御するために異なる屈折率を使用している。
【０００６】
さらに、円柱レンズが１つの軸線方向に沿って行内に配置される多くの薄い直線ストリップ凸レンズから成り、それが光屈折によって左右の眼の異なる視界を生成し、および、それが分離、光のより少ない損失およびより良い明るさの目的を達成するために光屈折を利用している。しかしながら、製造誤差、円柱レンズの表面不規則性または他の要因として、いくつかのはっきりしない三次元画像に至る迷光が生じ、したがって、全体的な３Ｄ画像表示に影響を及ぼす。その上、パララックスバリアがバリア全体を用いて特定の角度から放出する光を制限するために使用され、および、三次元画像を生成するために、それぞれ、左右の眼に送られる指定された角度の画像を見るだけである。
【０００７】
さらに、従来の三次元表示装置は三次元画像を、しかし、平面（二次元）画像と立体（三次元）画像との間の切り替えなしで、示すことができるだけである。それゆえに、立体画像表示装置が、三次元画像および平面画像を表示する切り替えをするために開発された。現在、一般的な局部限定２Ｄ／３Ｄ切り替え技術は主にパララックスバリアおよびレンチキュラレンズを使用している。パララックスバリアおよびレンチキュラレンズは、ディスプレイパネルの前面に配置されるかまたはディスプレイパネルとバックライトモジュールとの間に配置されることができる。例えば、切り替え可能２Ｄ／３Ｄパララックスバリアディスプレイは、図１ａおよび図１ｂに示されるパララックスバリア１０２、ディスプレイパネル１０１およびバックライトモジュール１００を備える。パララックスバリア１０２は、ディスプレイパネル１０１の前面に配置されている。画像内容がいくつかの領域で３Ｄ画像として表示する時、それは対応する領域１０２ａ上でパララックス格子効果、すなわち、図１ａに示される３Ｄ表示モードを生成する。画像内容が２Ｄ画像として表示するとき、パララックス格子効果は、図１ｂ内に示される対応する位置（領域）１０２ｂ上で消滅する。左眼および右眼は同じ画素を同じ通常の２Ｄ表示として見る。別のモードは２Ｄ／３Ｄ切り替え可能ディスプレイレンチキュラレンズであり、それは２Ｄ／３Ｄ切り替え可能パララックスバリアディスプレイを備えた同様の機能を有する。このような場合、２Ｄ／３Ｄ切り替え可能ディスプレイレンチキュラレンズでは、図２ａおよび図２ｂに示される、レンチキュラレンズ１０３がパララックスバリア１０２を置換する。レンチキュラレンズ１０３は、ディスプレイパネル１０１の前面に配置されている。画像内容がいくつかの領域内に３Ｄ画像として表示する時、それは対応する領域１０３ａ上でレンチキュラレンズ効果、すなわち、図２ａ内に示される３Ｄ表示モードを生成する。画像内容が、２Ｄ画像として表示するとき、レンチキュラレンズ効果は、図２ｂ内に示される対応する位置（領域）１０３ｂ上で消滅する。左眼および右眼は同じ画素を同じ通常の２Ｄ表示として見る。
【０００８】
２Ｄ／３Ｄ切り替え可能パララックスバリアディスプレイでは、液晶が光を透過させるかまたはさせない固有能力を有するので、液晶表示パネルを用いて領域性パララックスバリアを達成することが最も簡単な方法のうちの１つである。例えば、２Ｄ／３Ｄ切り替え可能パララックスバリアディスプレイでは、第１の液晶表示パネルがパララックス格子としてあるバックライトモジュールの前面に、２枚の液晶表示パネルが配設される。ディスプレイパネルが３Ｄ内容を表示するべき時、白黒のストライプが前面液晶表示パネルの対応する領域上に表示される。ディスプレイパネルが２Ｄ内容を表示する時、白フレーム、光の完全な透過が前面液晶表示パネルの対応する領域上に表示される。それゆえに、前面液晶表示パネルの表示内容は、２Ｄ／３Ｄ領域化の切り替え機能を達成するために制御されることができる。
【０００９】
２Ｄ／３Ｄ切り替え可能レンチキュラレンズディスプレイでは、それが領域化２Ｄ／３Ｄ切り替えレンチキュラレンズを含み、それは２つのタイプの切り替え液晶表示パネル、能動切り替えレンチキュラレンズ液晶表示パネルおよび受動切り替えレンチキュラレンズ液晶表示パネルを含む。例えば、能動切り替えレンチキュラレンズディスプレイ技術はフィリップス社によって十分に開発されている。液晶は、円柱レンズ（例えば凹レンズ）１１４の内側に注入されて上下のガラス製基板１１５および１１２によって取り囲まれ、および、偏光フィルム１１１が下部のガラス製基板１１２の下に構成され、およびディスプレイ画素１１０が偏光フィルム１１１の下に配設される。液晶が複屈折材料（屈折率Ｎおよびｎ）であるので、それは、その屈折率を変化させるために電圧（Ｖ）を印加されることができる。液晶材料の適切な屈折率は、レンズ１１４の屈折率（例えば、ｎに対して）に適合させるために選ばれることができる。何の電圧も円柱レンズ１１４に印加されない時、液晶層の屈折率がレンズの屈折率ｎと異なるＮであって、それによって屈折率差に結びつく。光が能動切り替え円柱レンズ１１４を通過するにつれて、それは屈折率差に起因して光の伝播方向を変化させ、図３ａに示される、この種の３Ｄモード表示を作り出す。電圧が能動２Ｄ／３Ｄ切り替え円柱レンズ１１４に印加される時、液晶の配列が変化し、液晶層１１３の屈折率は、レンズの屈折率ｎと同じｎとなる。光がディスプレイ画素１１０を通過するにつれて、それは元の光入射方向に沿って伝播し、図３ｂに示される、この種の２Ｄモード表示を作り出す。それゆえに、この種の方式では、２Ｄ／３Ｄ切り替え効果を生成するために、任意選択で電圧を円柱レンズ１１４に印加している。
【００１０】
受動切り替えレンチキュラレンズ液晶表示パネル方式では、固定された複屈折（屈折率Ｎおよびｎ）円柱レンズ１１４および切り替え液晶層１１６を利用して光の伝播方向を制御する。この技術は円柱レンズ１１４が機能するかどうかを決定する切り替え液晶層１１４によって利用されるので、それは受動動作モードに属する。電圧が切り替え液晶層１１６、例えばＴＮに印加しないとき、偏光フィルム１１１を通過する入射光の偏光方向が切り替え液晶層１１６を通過した後に零度から９０度に変化すると想定する。一方、円柱レンズ１１４の液晶層１１３の屈折率は、レンズの屈折率ｎと異なるＮであり、それによって光路差に結びつく。それは光の伝播方向を変化させてレンチキュラレンズ効果を生成する、すなわち図４ａに示される３Ｄモード表示を作り出す。電圧が切り替え液晶層１１６に印加されるにつれて、ＴＮ液晶の配列がその時変化し、入射光の偏光方向は切り替え液晶層１１６を通過した後でなお零度である。一方、円柱レンズ１１４の液晶層１１３の屈折率は、レンズの屈折率ｎと同じｎであり、かつ光の伝播方向を変化させず、すなわち、図４ｂに示される２Ｄモード表示を作り出す。それゆえに、この種の方式では、切り替え液晶層に対する電圧の部分的制御を利用して領域化２Ｄ／３Ｄ切り替え効果の目的に到達する。
【発明の概要】
【発明が解決しようとする課題】
【００１１】
上述した、従来の２Ｄ／３Ｄ切り替え方式では、レンチキュラレンズは少なくとも１つの液晶層を組み合わせる必要があり、領域性２Ｄ／３Ｄ切り替え効果を達成するために、円柱レンズに対して電圧が印加されなければならない。それゆえに、製造費用はより高価であり、この方式は複雑で不良切り替えまたはディスプレイを造りやすい。従来の方式のこれらの欠点からみて、本発明はこれらの欠点を克服するために従来技術より優れているパララックスバリア／格子を提供する。
【課題を解決するための手段】
【００１２】
上記に基づいて、本発明の一目的は２Ｄ／３Ｄ画像切り替え表示装置のために使用されるマイクロリターダフィルムを形成するための一方法を提供することであり、このマイクロリターダフィルムが、パララックスバリアとしてあることができるか、またはマイクロリターダフィルムとしてあるように偏光グラス３Ｄディスプレイに施着されることができる。それは、ローコストおよび簡単なプロセスの利点がある。
【００１３】
本発明の一態様によれば、本発明は応力アシスト圧延プロセスをマイクロ構造位相フィルム層のために利用して複数の開口部および複数の位相リターダパターンを備えたマイクロ構造位相フィルムパターンを形成するステップを含むマイクロリターダフィルムを形成するための一方法を提供する。次に、第１の均質の層がマイクロ構造位相フィルムパターン上に形成されて複数の開口部内に充填される。最後に、変成処理を実行することが、マイクロ構造位相フィルムパターンの裏面に対して実行される。
【００１４】
複数の開口部の下にマイクロ構造位相薄フィルムが完全に均質の特性を有し、かつそれによって第２の均質の層を形成するまで、変成処理が実行される。
【００１５】
本発明は、従来の方式の欠点を克服して２Ｄ／３Ｄ画像を効果的に切り替えてかつコストを高度に低下させるためにマイクロリターダフィルムを提供する。
【図面の簡単な説明】
【００１６】
本発明の構成要素、特性および効果は、明細書および添付図面内に概説される好ましい実施態様の詳細な説明によって理解されることができる：
【００１７】
【図１ａ】切り替え可能２Ｄ／３Ｄパララックスバリアディスプレイを例示する。
【図１ｂ】切り替え可能２Ｄ／３Ｄパララックスバリアディスプレイを例示する。
【図２ａ】切り替え可能２Ｄ／３Ｄレンチキュラレンズディスプレイを例示する。
【図２ｂ】切り替え可能２Ｄ／３Ｄレンチキュラレンズディスプレイを例示する。
【図３ａ】能動切り替え可能２Ｄ／３Ｄレンチキュラレンズディスプレイを例示する。
【図３ｂ】能動切り替え可能２Ｄ／３Ｄレンチキュラレンズディスプレイを例示する。
【図４ａ】受動レンチキュラレンズおよび切り替え液晶パネルディスプレイを例示する。
【図４ｂ】受動レンチキュラレンズおよび切り替え液晶パネルディスプレイを例示する。
【図５ａ】本発明に従う応力アシスト圧延プロセスによるマイクロ構造位相薄フィルムパターンの断面図を例示する。
【図５ｂ】本発明に従うマイクロ構造位相薄フィルムパターン上に形成される第１の均質の材料層の断面図を例示する。
【図５ｃ】本発明に従うマイクロ構造位相薄フィルムパターンの裏面上の照射光の断面図を例示する。
【図５ｄ】本発明に従うマイクロリターダフィルムの断面図を例示する。
【発明を実施するための形態】
【００１８】
本発明のいくつかの好ましい実施態様が、次により詳細に記載される。しかしながら、本発明の好ましい実施態様は本発明を限定することよりむしろ例証のために提供されることが認識されるべきである。加えて、本発明は明示的に記載されているものの他に広範囲にわたる他の実施態様において実践されることができ、および、本発明の有効範囲は添付の請求の範囲内に指定される場合を除いて、明白に限定されない。
【００１９】
「１つの実施態様」または「一実施態様」に対する明細書内の参照は、好ましい実施態様と関連して記載され、かつ本発明の少なくとも１つの実施態様内に含まれる特定の特徴、構造または特性を指す。それゆえに、「１つの実施態様において」または「一実施態様において」の種々の出現は、必ずしも同じ実施態様を指すというわけではない。さらに、本発明の特定の特徴、構造または特性は、１つ以上の好ましい実施態様において適切に組み合わせられることができる。
【００２０】
従来の２Ｄ／３Ｄ切り替え方式では、レンチキュラレンズは少なくとも１つの液晶層を組み合わせることを必要とされ、かつ領域性２Ｄ／３Ｄ切り替え効果を達成するために、レンチキュラレンズに電圧が印加されなければならない。それゆえに、製造費用はより高価であり、この方式は複雑で不良切り替えまたはディスプレイを生じやすい。従来の方式のこれらの欠点からみて、本発明はローコストおよび簡単なプロセスの効果を有する従来技術より優れているマイクロリターダフィルムを提供する。マイクロリターダフィルムは、３層構造、透明層５９の第１層、第１の透明層上に交互に形成される複数の位相リターダパターンを備えたマイクロ構造位相層５８の第２層およびマイクロ構造位相層５８上に形成されて複数のリターダパターン間の間隔に充填される第２の透明層５６の第３の層を含む２Ｄ／３Ｄ画像切り替え表示装置のパララックスバリアであるように使用される。
【００２１】
マイクロリターダフィルムの製造方法およびステップが、以下に記載される。第１に、マイクロ構造位相層である、非均質の材料層が準備される。マイクロ構造位相層（マイクロ位相薄フィルム層状構造）は、通過する光が位相変調を引き起こすように、光に遭遇した後で均質の材料として変化する。マイクロ構造位相層の材料は、ポリ酢酸ビニール（ＰＶＡ）、トリアセテートセルロース（ＴＡＣ）、ポリカーボネート（ＰＣ）またはセルロースアセテートプロピオネート（ＣＡＰ）を含む。次に、マイクロ構造位相層は、図５ａに示されるマイクロ構造位相薄フィルムパターン５０を形成するために応力アシスト圧延（ラミネート加工）プロセスを通される。マイクロ構造位相層のポリマー材料は、応力アシスト圧延プロセスを利用して、ある深さの凹面凸面パターンを備えた、一体的なマイクロ構造位相薄フィルムを形成する。マイクロ構造位相薄フィルムパターン５０は、複数の溝（開口部）部分５２および溝部分５２を横切って交互に配置される複数の位相リターダパターン５１を含む。複数の位相リターダパターン５１の間隔５５は約１５０〜３５０ミクロン（μｍ）であり、複数の位相リターダパターン５１の厚さ５３は約２５〜２００ミクロンである。
【００２２】
好ましい実施態様において、溝（開口部）部分５２の幅は約７５〜１５０ミクロン（μｍ）であり、溝（開口部）部分５２の下にある薄フィルム層の厚さ５４は約１０〜５０ミクロンである。
【００２３】
その後、第１の均質の材料層５６がマイクロ構造位相薄フィルムパターン５０上に形成されて、図５ｂに示される複数の位相リターダパターン５１の間隔の間の溝（開口部）部分５２に充填される。第１の均質の材料層５６の材料は紫外線（ＵＶ）硬化性ポリマーまたは２液タイプ硬化性ポリマーを含み、それはコーティングプロセスによって作られることができる。
【００２４】
最後に、図５ｃに示される、マイクロ構造位相薄フィルムパターン５０の裏面に対する表面改質プロセスまたは変成処理が実行される。一実施態様において、表面改質または変成処理は、例えばエネルギを利用することによる熱処理であり、および、この熱処理は、焼鈍し、電子ビーム焼入れ、高周波焼入れ、高圧放電、プラズマ表面処理、レーザ露光（照射）その他を含むが、これに限定されるものではない。一実施態様において、表面改質プロセスまたは変成処理は、マイクロ構造位相薄フィルムパターン５０の裏面に照射する特定のエネルギを備えた光５７を利用する。均質に分解されるこの種の構造に対する改質プロセスを実行することは、エネルギを利用する。レーザ露光の照射強度および時間ならびにレーザ光線の波長は、実際の用途または材料に依存する。マイクロ構造位相薄フィルムパターン５０は、裏面表面より上の厚さ５４より大きいその深度に到達するためにプラズマ表面処理によって処理されることができる。材料は、表面改質プロセスの後で均質の材料に変えられる。溝深さを制御することによって、溝部分５２の下のマイクロ構造位相薄フィルムが完全に均質の特性を有し、かつそれによって第２の均質の材料層５９を形成するまで、それは底部に対する品質変更を完全にすること、および溝の底部に少なくとも到達させることができる。したがって、本発明のマイクロリターダフィルム構造体はそれで完成され、図５ｄに示される。第２の均質の材料層５９および第１の均質の材料層５６はまた、光学相変化を引き起こさない均質の材料であるが、しかしマイクロ構造位相層５８は光学相変化を引き起こす。第２の均質の材料層５９の厚さは、第１の均質の材料層５６の厚さ未満である。
【００２５】
本発明のマイクロリターダフィルム構造体が図５ｄに示され、それは２Ｄ／３Ｄ画像切り替え表示装置のパララックスバリアとして提供することができる。一実施態様において、本発明のマイクロリターダフィルムは一般的な液晶ディスプレイに付着させることができ、左眼（Ｌ）および右眼（Ｒ）の画像が光の偏光方向によって分離される。本発明のマイクロリターダフィルムは、位相遅れ部分５８および非位相遅れ部分６０を含む。通過する光が位相差を作り出すように、位相遅れ部分５８は非照明マイクロ構造位相薄フィルムを含む。通過する光が位相差を作り出さないように、非位相遅れ部分６０は均質の材料である。例えば、２Ｄ／３Ｄ画像切り替え表示装置は二層液晶パネルを使用し、本発明のマイクロリターダフィルムがこの２枚のパネルの間にはさまれる。一実施態様において、特定のパターンに従って配置される位相遅れ部分（λ／２位相差、λは入射光の波長である）５８および非位相遅れ部分６０（零位相差）によって本発明のマイクロリターダフィルムが造られる。切り替えパネルは、通過する光が零度偏光と４５度偏光との間で変換されることを可能にするためにある。零度偏光光が零位相遅れ部分６０を通過する時、それは零度偏光状態になおとどまる。零度偏光光がλ／２位相遅れ部分５８を通過する時、零度偏光入射光は９０度偏光状態に変えられる。一方、光が零度偏光方向を備えた偏光フィルムを通過するならば、それはマイクロリターダフィルムのパターン構成と同じである透明および黒い２つのパターンを示す、すなわちパララックスバリア効果を作り出す。切り替えパネルから放出される４５度偏光光が零位相遅れ部分６０を通過する時、それは４５度偏光状態になおとどまる。一方、光がλ／２位相遅れ部分５８を通過するならば、それはλ／２位相遅れ部分５８と平行の４５度偏光光の光軸に起因して４５度偏光方向になおとどまる。一方、光が零度偏光方向を備えた偏光フィルムを通過して透明および黒い２つのパターンを生成せず、したがって、パララックスバリア効果を作り出さない。本発明のマイクロリターダフィルムは、２Ｄ／３Ｄ切り替え効果に到達するために切り替えパネルと組み合わせられることができる。
【００２６】
本発明のマイクロリターダフィルムは上述の２Ｄ／３Ｄ画像切り替え表示装置の方式（二層液晶パネルを使用する）に限定されず、他の２Ｄ／３Ｄ画像切り替えディスプレイパネル装置が適用されることができる。
【００２７】
前述の記述は、本発明の好ましい実施態様である。当業者によってよく理解されているように、本発明の上述した好ましい実施態様は本発明を限定することよりむしろ本発明の例証となるものである。本発明は、添付の請求の範囲の趣旨および範囲内に含まれる種々の変更および同様の配置を包含することを意図され、その有効範囲は、全てのこの種の変更および同様の構造体を含むために最も幅広い解釈と一致されるべきである。
【符号の説明】
【００２８】
５０  マイクロ構造位相薄フィルムパターン
５１  位相リターダパターン
５２  溝（開口部）部分
５３  位相リターダパターンの厚さ
５４  薄フィルム層の厚さ
５６  第２の透明層
５７  光
５８  マイクロ構造位相層  位相遅れ部分
５９  透明層
６０  非位相遅れ部分
１００  バックライトモジュール
１０１  ディスプレイパネル
１０２  パララックスバリア
１０２ａ  領域
１０２ｂ  位置（領域）
１０３  レンチキュラレンズ
１０３ａ  領域
１０３ｂ  位置（領域）
１１０  ディスプレイ画素
１１１  偏光フィルム
１１２  下のガラス製基板
１１３  液晶層
１１４  円柱レンズ
１１５  上のガラス製基板
１１６  切り替え液晶層
【図１ａ】
0005589157.tif 000002
【図１ｂ】
0005589157.tif 000003
【図２ａ】
0005589157.tif 000004
【図２ｂ】
0005589157.tif 000005
【図３ａ】
0005589157.tif 000006
【図３ｂ】
0005589157.tif 000007
【図４ａ】
0005589157.tif 000008
【図４ｂ】
0005589157.tif 000009
【図５ａ】
0005589157.tif 000010
【図５ｂ】
0005589157.tif 000011
【図５ｃ】
0005589157.tif 000012
【図５ｄ】
0005589157.tif 000013